(57)【要約】【課題】  合成した電気信号の信号レベルを十分確保可能なダイバーシチ装置およびデジタルテレビ受信機を提供すること。【解決手段】  ダイバーシチ装置１０は、アンテナ１１，１３、減衰器１２，１４、制御器１５、検出器１６，１７、ＳＡＷ素子１８および加算器１９から構成されている。アンテナ１１，１３は、地上波デジタルテレビ放送の送信電波を受信するとともに同電波を電気信号に変換して出力する。減衰器１２，１４は、入力された電気信号を減衰して出力する。制御器１５は、アンテナ１１，１３の電波受信状態を検出する検出器１６，１７の検出結果に基づいて、減衰器１２，１４の作動開始および作動停止を制御する。ＳＡＷ素子１８は、入力された電気信号を遅延時間ｔｓだけ遅延して出力する。加算器１９は、減衰器１２とＳＡＷ素子１８から入力された電気信号を加算し、加算電気信号を出力する。【選択図】  図１
2005311850.tif 000002
【特許請求の範囲】
【請求項１】
指向性または空間的位置が異なり受信した電波を電気信号に変換して出力する複数のアンテナと、
前記複数のアンテナのそれぞれの電波受信状態を検出する検出部と、
前記複数のアンテナのうちの所定のアンテナから出力された電気信号を取得して、同取得した電気信号の伝播時間を所定の遅延時間だけ遅延して出力する遅延電気信号出力部と、
前記複数のアンテナから出力された電気信号または前記遅延電気信号出力部から出力された電気信号を取得して、同取得した電気信号を減衰して出力する複数の減衰電気信号出力部と、
前記検出部によって検出された前記複数のアンテナの電波受信状態に基づいて、前記複数の減衰電気信号出力部の作動開始および作動停止をそれぞれ制御する作動制御部と、
前記遅延電気出力部または前記複数の減衰電気信号出力部から出力された複数の電気信号を互いに加算し、同加算した加算電気信号を出力する加算電気信号出力部とから構成されることを特徴とするダイバーシチ装置。
【請求項２】
前記所定の遅延時間は、前記加算電気信号の信号レベルが所定の許容範囲よりも大きくなるように予め定められた遅延時間である請求項１に記載したダイバーシチ装置。
【請求項３】
前記遅延電気信号出力部は、圧電体からなる圧電基板と、同圧電基板上に弾性表面波の伝搬方向にて直列に配置された入力側交叉指電極および出力側交叉指電極とから形成された弾性表面波素子である請求項１または請求項２に記載したダイバーシチ装置。
【請求項４】
前記複数の減衰電気信号出力部は、前記電気信号を減衰する減衰量および減衰時間が可変とされており、
前記作動制御部は、前記検出部によって検出された前記電波受信状態に基づいて前記減衰量および減衰時間を決定して前記複数の減衰電気信号出力部の作動をそれぞれ制御する請求項１ないし請求項３のうちのいずれか一つに記載したダイバーシチ装置。
【請求項５】
前記作動制御部は、前記複数の減衰電気信号出力部の作動開始および作動停止をそれぞれ制御するときは、前記複数の減衰電気信号出力部のうち作動している減衰電気信号出力部を作動停止制御した後に、前記複数の減衰電気信号出力部のうち停止している減衰電気信号出力部を作動開始制御する請求項１ないし請求項４のうちのいずれか一つに記載したダイバーシチ装置。
【請求項６】
前記アンテナと前記遅延電気信号出力部または前記減衰電気信号出力部との間に、所定の周波数を有する電気信号を選択するチューナを配置した請求項１ないし請求項５のうちのいずれか一つに記載したダイバーシチ装置。
【請求項７】
デジタルテレビ放送電波を受信し、同受信したデジタルテレビ放送電波をデジタル復調し受像機にて映像および音声を出力するデジタルテレビ受信機において、
指向性または空間的位置が異なり受信した電波を電気信号に変換して出力する複数のアンテナと、
前記複数のアンテナのそれぞれの電波受信状態を検出する検出部と、
前記複数のアンテナのうちの所定のアンテナから出力された電気信号を取得して、同取得した電気信号の伝播時間を所定の遅延時間だけ遅延して出力する遅延電気信号出力部と、
前記複数のアンテナから出力された電気信号または前記遅延電気信号出力部から出力された電気信号を取得して、同取得した電気信号を減衰して出力する複数の減衰電気信号出力部と、
前記検出部によって検出された前記複数のアンテナの電波受信状態に基づいて、前記複数の減衰電気信号出力部の作動および停止をそれぞれ制御する作動制御部と、
前記遅延電気出力部または前記複数の減衰電気信号出力部から出力された複数の電気信号を互いに加算し、同加算した加算電気信号を出力する加算電気信号出力部とから構成されたダイバーシチ装置を備えたことを特徴とするデジタルテレビ受信機。
【発明の詳細な説明】
【技術分野】
【０００１】
本発明は、デジタル変調で送信された信号を受信するダイバーシチ装置およびダイバーシチ装置によって受信した信号をデジタル復調するデジタルテレビ受信機に関する。
【背景技術】
【０００２】
従来から、図１０に示すような、デジタルテレビ受信機３００はよく知られている。このデジタルテレビ受信機３００は、アンテナ３０１によってデジタルテレビ放送電波を受信するとともに電気信号に変換し、チューナ３０２にて選択された周波数を有するデジタルテレビ放送電波の電気信号を復調器３０３に出力する。復調器３０３によってデジタル復調された電気信号は、エラー訂正回路３０４によってエラー訂正されて、ＭＰＥＧデコーダ３０５に出力される。そして、デコードされ出力された電気信号に基づいて、映像・音声出力回路３０６は、例えば、テレビ受像機に対して高画質の映像、高音質の音声を出力するようになっている。
【０００３】
しかしながら、この従来のデジタルテレビ受信機３００は、劣悪な電波受信環境下（例えば、シャドーイングなど）において、デジタルテレビ放送電波を受信できない場合がある。そこで、劣悪な電波受信環境下における電波の受信能力を改善することを目的として、複数のアンテナの空間的位置を異ならせて配置して、電波の受信状況が良好なアンテナによって電波を受信するようにしたダイバーシチ装置がある。このダイバーシチ装置によれば、複数設けたアンテナのうち少なくともひとつのアンテナが劣悪な電波受信環境を外れて電波を受信することができれば、ダイバーシチ装置に接続された受信機は良好に電波を受信することができる。
【０００４】
ところが、この種のダイバーシチ装置においては、良好な受信環境下にて複数のアンテナのすべてが良好に電波を受信し、複数のアンテナから出力された電気信号を単純に合成した場合には、出力された電気信号が互いに打ち消し合い（キャンセル）してダイバーシチ装置から出力される電気信号の信号レベルが低下する場合がある。
【０００５】
このため、従来から、例えば、下記非特許文献１に示すような、ダイバーシチ装置はよく知られている。このダイバーシチ装置は、選択合成法と呼ばれる受信方式を採用しており、複数のアンテナの電波受信状態に応じてより良好な電波受信状態のアンテナを選択することにより、電波受信性能の改善を図るようになっている。これにより、複数のアンテナから出力された電気信号を合成（加算）しないため、上述した電気信号同士のキャンセルの発生がなくなる。したがって、良好な受信環境下にてダイバーシチ装置から出力される電気信号の信号レベルが受信限界レベル以下に低下する問題が解決されるようになっている。
【０００６】
また、従来から、例えば、下記非特許文献２および非特許文献３に示すような、ダイバーシチ装置も知られている。このダイバーシチ装置は、電波を受信した複数のアンテナから出力された複数の電気信号の位相を最適化計算に基づいて変更し、互いにキャンセルしないようにする最適化手段を備えている。この最適化手段は、複数の電気信号を合成した後の電気信号の信号レベルに基づいてフィードバック制御されて、キャンセルによって合成後の信号レベルが低下しないように、最適な位相の変更量を決定するようになっている。これにより、複数のアンテナがそれぞれ良好に電波を受信した状態であっても、電気信号の合成によって信号レベルが低下することを防止することができて、好適に電気信号を出力することができる。
【０００７】
しかしながら、上記従来のダイバーシチ装置のように、選択合成法を採用した場合には、より良好なアンテナからの電気信号を選択して出力するための切替スイッチが設けられている。この場合、切替スイッチを切り替えて、アンテナからの電気信号を、例えば、ダイバーシチ装置に接続されたデジタルテレビ受信機に出力した際には、同デジタルテレビ受信機に設けられた復調器（例えば、ＯＦＤＭ復調器）による復調において、同期が外れる可能性がある。このように、復調において同期が外れると、同期が回復するまでの間は電気信号が復調されず、結果として、デジタルテレビ受信機が映像や音声を出力できない場合がある。また、上記従来のダイバーシチ装置のように、最適化手段を設けた場合には、合成した電気信号の信号レベルを十分確保できるものの装置自体が複雑化し、結果として、装置の製造コストが増大したり、装置が大型化する場合がある。
【０００８】
【非特許文献１】「移動通信の基礎」、電子情報通信学会発行、１９８６年、Ｐ．１６５
【非特許文献２】「２００１年通信ソサイエティ大会講演論文集１」、電子情報通信学会、２００１年、Ｐ．３９９
【非特許文献３】「２００２年通信ソサイエティ大会講演論文集１」、電子情報通信学会、２００２年、Ｐ．３６７
【発明の開示】
【０００９】
本発明は、上記した課題を解決するためになされたものであり、その目的は、構造を簡略化するとともに電気信号の信号レベルを十分に確保可能なダイバーシチ装置および同ダイバーシチ装置を備えたデジタルテレビ受信機を提供することにある。
【００１０】
本発明の特徴は、ダイバーシチ装置において、指向性または空間的位置が異なり受信した電波を電気信号に変換して出力する複数のアンテナと、前記複数のアンテナのそれぞれの電波受信状態を検出する検出部と、前記複数のアンテナのうちの所定のアンテナから出力された電気信号を取得して、同取得した電気信号の伝播時間を所定の遅延時間だけ遅延して出力する遅延電気信号出力部と、前記複数のアンテナから出力された電気信号または前記遅延電気信号出力部から出力された電気信号を取得して、同取得した電気信号を減衰して出力する複数の減衰電気信号出力部と、前記検出部によって検出された前記複数のアンテナの電波受信状態に基づいて、前記複数の減衰電気信号出力部の作動開始および作動停止をそれぞれ制御する作動制御部と、前記遅延電気出力部または前記複数の減衰電気信号出力部から出力された複数の電気信号を互いに加算し、同加算した加算電気信号を出力する加算電気信号出力部とから構成されることにある。
【００１１】
この場合、前記所定の遅延時間は、前記加算電気信号の信号レベルが所定の許容範囲よりも大きくなるように予め定められた遅延時間であるとよい。また、前記遅延電気信号出力部は、圧電体からなる圧電基板と、同圧電基板上に弾性表面波の伝搬方向にて直列に配置された入力側交叉指電極および出力側交叉指電極とから形成された弾性表面波素子であるとよい。また、前記複数の減衰電気信号出力部は、前記電気信号を減衰する減衰量および減衰時間が可変とされており、前記作動制御部は、前記検出部によって検出された前記電波受信状態に基づいて前記減衰量および減衰時間を決定して前記複数の減衰電気信号出力部の作動をそれぞれ制御するとよい。さらに、前記作動制御部は、前記複数の減衰電気信号出力部の作動開始および作動停止をそれぞれ制御するときは、前記複数の減衰電気信号出力部のうち作動している減衰電気信号出力部を作動停止制御した後に、前記複数の減衰電気信号出力部のうち停止している減衰電気信号出力部を作動開始制御するとよい。
【００１２】
これらによれば、複数のアンテナから出力された複数の電気信号は遅延電気信号出力部または減衰電気信号出力部に入力される。遅延電気信号出力部に入力された電気信号は、その伝播時間が所定の遅延時間だけ遅延される。そして、遅延された電気信号は、加算電気信号出力部によって他の遅延された電気信号または遅延されていない電気信号と加算され、加算電気信号として出力される。このように、遅延された電気信号と他の遅延された電気信号または遅延されていない電気信号を加算した加算電気信号は、遅延時間に基づいて、周期を短くすることができるため、周波数変化に対して急峻に変化するようになる。このため、加算電気信号の特定の周波数にて互いに打ち消し合い（キャンセル）が存在しても、適宜遅延電気信号出力部による遅延時間を予め設定することにより、キャンセルが存在する特定の周波数の出現する周期を短くすることができる。したがって、加算電気信号の信号レベルを充分に確保して他の装置、例えば、デジタルテレビ受信機に良好な加算電気信号を出力することができる。
【００１３】
また、減衰電気信号出力部は、検出部の検出結果すなわち電波受信状態の良否に基づき、作動制御部によってその作動開始および作動停止が制御される。このため、減衰電気信号出力部に入力された電気信号が電波受信状態が良好なアンテナから出力されていれば、作動制御部がその減衰電気信号出力部の作動を停止させることにより、入力された電気信号の信号レベルを減衰させることなく加算電気信号出力部または遅延電気信号出力部に出力することができる。一方、減衰電気信号出力部に入力された電気信号が電波受信状態が不良なアンテナから出力されていれば、作動制御部がその減衰電気信号出力部の作動を開始させることにより、入力された電気信号の信号レベルを例えば「０」となるまで減衰させることができる。このように、減衰電気信号出力部が作動制御部によって作動制御されることにより、減衰電気信号出力部は電波受信状態の良好なアンテナから出力された電気信号を選択して加算電気信号出力部または遅延電気信号出力部に出力することができる。したがって、これによっても、加算電気信号の信号レベルを充分に確保して他の装置、例えば、デジタルテレビ受信機に良好な加算電気信号を出力することができる。
【００１４】
また、遅延時間は加算電気信号の信号レベルが所定の許容範囲よりも大きくなるように予め定められるため、周波数変化に対して急峻に変化しても、十分な信号レベルを確保することができる。ここで、特定の周波数にてキャンセルが存在する加算出力信号は、特定の周波数間の中間の周波数にて、その信号レベルが最大となる。このため、加算出力信号は、特定の周波数にてキャンセルが存在していても、特定の周波数間の中間の周波数にて、加算出力信号の信号レベルを十分に確保することができる。したがって、遅延電気信号出力部を設けることにより、ダイバーシチ装置の構造を簡略化することができる。
【００１５】
また、複数のアンテナから出力された電気信号が入力側交叉指電極に入力されると、電気信号が弾性表面波（超音波）に変換されて圧電基板の表面を伝播し、出力側交叉指電極に到達する。そして、出力側交叉指電極によって、弾性表面波（超音波）は、電気信号に変換されて減衰電気信号出力部または加算電気信号出力部に出力される。このため、圧電基板の材料特性（弾性率など）や、入力側交叉指電極と出力側交叉指電極との間の距離を適宜変更することができて、電気信号の遅延時間を容易に設定することができる。
【００１６】
また、減衰電気信号出力部が電気信号を減衰する減衰量および減衰時間が可変とされることにより、作動制御部によって適宜減衰量および減衰時間が決定されれば、減衰電気信号出力部は電波受信状態が不良なアンテナから出力された電気信号を緩やかに減衰させることができる。また、減衰電気信号出力部が、例えば、電波受信状況が良好に改善されたアンテナからの電気信号を遅延電気信号部または加算電気信号部に出力する際には、作動制御部が減衰量を連続的に変更して決定することにより、その電気信号の信号レベルを緩やかに高めて出力することができる。したがって、電気信号の急峻な切り替えを防止することができて、他の装置、例えば、デジタルテレビ受信機に対して、電気信号を途切れることなく連続的に出力することができる。
【００１７】
また、作動制御部は、それぞれの減衰電気信号出力部の作動開始および作動停止を制御する場合には、作動している減衰電気信号出力部の作動を停止制御した後に、停止している減衰電気信号出力部の作動を開始制御することができる。この作動制御について具体的にアンテナを２本備えた場合を例示して説明する。
【００１８】
今、一のアンテナの電波受信状態が良好な状態から悪化し、他のアンテナの電波受信状態が不良な状態から良好な状態に改善されたとする。この場合において、一のアンテナに接続された減衰電気信号部は停止した状態とされ、他のアンテナに接続された減衰電気信号部は作動している状態とされている。この状態から、作動制御部は、まず、他のアンテナに接続された減衰電気信号部に対してその作動を停止させる。これにより、電波受信状態が改善された他のアンテナから出力された電気信号は、減衰されることなく、遅延電気信号部または加算電気信号部に出力される。
【００１９】
また、作動制御部は、他のアンテナに接続された減衰電気信号部を停止させた状態で、一のアンテナに接続された減衰電気信号部の作動を開始させる。これにより、電波受信状態が悪化した一のアンテナから出力された電気信号は、適宜減衰されて、その信号レベルが、例えば、「０」とされる。これにより、例えば、一のアンテナから他のアンテナへ急峻に切り替えられた場合であっても、遅延電気信号部または加算電気信号部に出力される電気信号が常に確保されているため、他の装置、例えば、デジタルテレビ受信機に対して、途切れることなく連続的に電気信号を出力することができる。
【００２０】
また、一のアンテナから出力された電気信号と他のアンテナから出力された電気信号とが一時的にそれぞれの減衰電気信号部から出力されると、これらの電気信号が加算電気信号部にて加算されて互いにキャンセルする場合がある。しかしながら、これら減衰電気信号部から出力された電気信号のうちの少なくとも一方が遅延電気信号部に出力されるか、または、少なくとも一方の減衰電気信号出力部に入力される電気信号が遅延電気信号出力部を介して入力されることによって、上述したように加算電気信号の信号レベルが充分に確保され、加算電気信号を良好に出力することができる。
【００２１】
また、本発明の他の特徴は、前記アンテナと前記遅延電気信号出力部との間に、所定の周波数を有する電気信号を選択するチューナを配置したことにある。ここで、チューナとしては、例えば、選択した電気信号を中間周波数信号に変換するチューナなどを採用することができる。これによれば、チューナを配置することにより、遅延電気信号出力部に出力される電気信号を選択することができるため、特定の電気信号に対する遅延電気信号出力部の遅延時間の設定をすればよく、好適である。また、遅延電気信号出力部から加算電気信号出力部に出力される遅延された電気信号も特定されるため、加算電気信号出力部の加算精度を向上させることができる。
【００２２】
さらに、本発明の他の特徴は、デジタルテレビ放送電波を受信し、同受信したデジタルテレビ放送電波をデジタル復調し受像機にて映像および音声を出力するデジタルテレビ受信機において、指向性または空間的位置が異なり受信した電波を電気信号に変換して出力する複数のアンテナと、前記複数のアンテナのそれぞれの電波受信状態を検出する検出部と、前記複数のアンテナのうちの所定のアンテナから出力された電気信号を取得して、同取得した電気信号の伝播時間を所定の遅延時間だけ遅延して出力する遅延電気信号出力部と、前記複数のアンテナから出力された電気信号または前記遅延電気信号出力部から出力された電気信号を取得して、同取得した電気信号を減衰して出力する複数の減衰電気信号出力部と、前記検出部によって検出された前記複数のアンテナの電波受信状態に基づいて、前記複数の減衰電気信号出力部の作動および停止をそれぞれ制御する作動制御部と、前記遅延電気出力部または前記複数の減衰電気信号出力部から出力された複数の電気信号を互いに加算し、同加算した加算電気信号を出力する加算電気信号出力部とから構成されたダイバーシチ装置を備えたことにある。
【００２３】
これによれば、複数のアンテナから出力された複数の電気信号は、遅延電気信号出力部によって、その伝播時間が所定の遅延時間だけ遅延される。また、アンテナの電波受信状態に基づいて、減衰電気信号出力部が電波受信状態が良好なアンテナからの電気信号を出力する。そして、遅延された電気信号と他の遅延された電気信号または遅延されていない電気信号は、加算電気信号出力部によって加算されて加算電気信号として出力される。このように、加算電気信号は、遅延時間に基づいて周期を短くすることができるため、周波数変化に対して急峻に変化するようになる。このため、加算電気信号の特定の周波数にて互いに打ち消し合い（キャンセル）が存在しても、適宜遅延電気信号出力部による遅延時間を予め設定することにより、キャンセルが存在する特定の周波数の出現する周期を短くすることができる。また、特定の周波数にてキャンセルが存在する加算出力信号は、特定の周波数間の中間の周波数にて、その信号レベルが最大となる。
【００２４】
このため、加算出力信号は、特定の周波数にてキャンセルが存在していても、特定の周波数間の中間の周波数にて、加算出力信号の信号レベルを十分に確保することができる。また、電気信号を減衰させて電波受信状態が良好なアンテナからの電気信号を出力することにより、電気信号の急峻な切り替えを防止することができ、加算出力信号の信号レベルを良好に確保することができる。したがって、デジタルテレビ受信機は、信号レベルを十分確保した加算出力信号をデジタル復調することができるため、受像機に対して、高画質の映像および高音質の音声を出力することができる。
【発明を実施するための最良の形態】
【００２５】
以下に、本発明の一実施形態を図面を用いて説明する。図１は、本発明に係るダイバーシチ装置１０と、同装置１０が接続されたデジタルテレビ受信機２０とを概略的に示したブロック図である。このデジタルテレビ受信機２０は、デジタル変調で送信された地上デジタルテレビ放送の送信電波がダイバーシチ装置１０によって受信され、同受信された電波の電気信号をデジタル復調して出力するものである。
【００２６】
ダイバーシチ装置１０は、アンテナ１１に接続された減衰器１２と、アンテナ１３に接続された減衰器１４とを備えている。アンテナ１１，１３は、指向性または空間的位置が異なるように設けられており、図示しないテレビ局から送信された地上デジタルテレビ放送電波を受信し、同電波を電気信号に変換して出力する。減衰電気信号出力部としての減衰器１２，１４は、アンテナ１１，１３から出力された電気信号を時間経過に伴って減衰させて出力するものである。また、減衰器１２，１４は、電気信号を減衰させる減衰量および減衰時間が可変とされている。これらの減衰器１２，１４の作動開始および作動停止は、作動制御部としての制御器１５によって制御される。制御器１５は、アンテナ１１，１３の電波受信状態を検出する検出部としての検出器１６，１７による検出結果に基づいて、減衰器１２，１４の作動開始および作動停止を制御する。ここで、検出器１６，１７は、例えば、アンテナ１１，１３の電波受信状態に対応した電圧を制御器１５に出力するようになっている。なお、検出器１６，１７は、アンテナ１１，１３から出力された電気信号に対して変換や減衰などを施すことなく、そのまま電気信号を通過させるようになっている。また、制御器１５は、検出器１６，１７の検出結果、または、その他必要に応じて、減衰器１２，１４の減衰量および減衰時間を適宜変更して決定するようになっている。
【００２７】
また、ダイバーシチ装置１０のアンテナ１３側には、遅延電気信号出力部としての表面弾性波素子１８（以下、ＳＡＷ素子１８という）が接続されている。ＳＡＷ素子１８は、検出器１７と減衰器１４との間に配置されていて、アンテナ１３から出力された電気信号の伝播時間を遅延時間ｔｓだけ遅延させて出力するものである。具体的に説明すると、ＳＡＷ素子１８は、図２に示すように、ニオブ酸リチウム(LiNbO3)、タンタル酸リチウム(LiTaO3)、水晶などの圧電材料で厚さの薄い直方体状に形成した圧電基板１８ａを備えている。圧電基板１８ａ上には、入力側ＩＤＴ(Inter Digital Transducer：交叉指電極)１８ｂと出力側ＩＤＴ１８ｃとが弾性表面波の伝搬方向に直列に配置されている。
【００２８】
入力側ＩＤＴ１８ｂは交互に交差して並べられた多数の信号側電極指１８ｂ１および接地側電極指１８ｂ２からなるとともに、出力側ＩＤＴ１８ｃも交互に交差して並べられた多数の信号側電極指１８ｃ１および接地側電極指１８ｃ２からなる。入力側ＩＤＴ１８ｂと出力側ＩＤＴ１８ｃの各内側間の距離（詳しくは、最も各内側に位置する電極指１８ｂ１と電極指１８ｃ１の中心間距離）ｄは、入力側ＩＤＴ１８ｂと出力側ＩＤＴ１８ｃとが互いに重ならない範囲で任意に設定されている。このように、入力側ＩＤＴ１８ｂと出力側ＩＤＴ１８ｃとの間の距離ｄを適宜設定することにより、ＳＡＷ素子１８から出力された電気信号の遅延時間をｔｓとして設定可能となる。ここで、本実施形態においては、アンテナ１３側にＳＡＷ素子１８を配置して実施するが、アンテナ１１側にＳＡＷ素子１８を配置して実施可能であることはいうまでもない。また、本実施形態においては、アンテナ１３側のみにＳＡＷ素子１８を配置して実施するが、アンテナ１１，１３の両側にそれぞれ距離ｄが異なるＳＡＷ素子１８を配置して実施することも可能である。
【００２９】
さらに、ダイバーシチ装置１０は、減衰器１２，１４を介して出力された電気信号をそれぞれ加算する加算電気信号出力部としての加算器１９を備えている。この加算器１９は、例えば、所定の抵抗値を有する複数の抵抗から構成されている。
【００３０】
デジタルテレビ受信機２０は、図１に示すように、チューナ２１、復調器２２、エラー訂正回路２３を備えている。チューナ２１は、希望の地上波デジタルテレビ放送の周波数チャンネルを選択するものである。復調器２２は、電気信号をデジタル信号に変換するものであり、例えば、ＯＦＤＭ(Orthogonal Frequency Division Multiplexing)復調方式が採用される。このＯＦＤＭ復調方式については、既に、欧州にて規格化され実施されているため、その詳細な説明を省略するが、このＯＦＤＭ復調方式を採用することにより、マルチパス干渉の妨害に強く周波数利用効率の高い復調が可能となる。エラー訂正回路２３は、デジタル信号に予め施されたエラー訂正機能によりエラーを検出・訂正するものである。
【００３１】
さらに、デジタルテレビ受信機２０は、ＭＰＥＧデコーダ２４および映像・音声出力回路２５も備えている。ＭＰＥＧデコーダ２４は、地上波デジタルテレビ放送で用いられている映像・音声の符号化方式であるＭＰＥＧ２方式をデコードするものである。映像・音声出力回路２５は、表示装置（ブラウン管、液晶パネルなど）、スピーカとその周辺回路等で構成され、受信した映像・音声を出力するものである。
【００３２】
次に、上記のように構成したダイバーシチ装置１０およびデジタルテレビ受信機２０の作動について、以下に詳細に説明する。なお、作動説明の理解を容易ならしめるために、図３および図４に示すような比較品を作製し、同各比較品の作動と比較して説明する。ここで、各比較品を簡単に説明しておく。図３に示す比較品は、デジタルテレビ受信機１２０に対し、本発明に係るダイバーシチ装置１０の減衰器１２，１４、制御器１５、検出器１６，１７およびＳＡＷ素子１８を省略したダイバーシチ装置１００が接続されている。また、図４に示す比較品は、デジタルテレビ受信機２２０に対し、本発明に係るダイバーシチ装置１０の減衰器１２，１４およびＳＡＷ素子１８が省略されるとともに、制御器２１５によってアンテナ２１１，２１３の切り替え作動が制御される切替器２１９（例えば、ＲＦスイッチなど）を備えたダイバーシチ装置２００が接続されている。
【００３３】
まず、ダイバーシチ装置１０のＳＡＷ素子１８の作動について、デジタルテレビ受信機１２０がダイバーシチ装置１００を介して地上波デジタルテレビ放送の送信電波を受信した場合と比較して説明する。ダイバーシチ装置１００のアンテナ１１１またはアンテナ１１３のうちの一方が、良好な受信環境下にて、地上波デジタルテレビ放送電波を受信すると、加算器１１９によって加算された加算出力信号は、図５に示すような、約６ＭＨｚの広がりを有する周波数スペクトルとして出力される。このような周波数スペクトルが加算器１１９から出力されると、デジタルテレビ受信機１２０のチューナ１２１以降の信号処理によって、映像・音声出力回路１２５は高画質の映像や高音質の音声を出力することができる。
【００３４】
しかしながら、ダイバーシチ装置１００のアンテナ１１１，１１３が共に良好な受信環境下にて地上波デジタルテレビ放送電波を受信すると、映像や音声を出力できない場合がある。すなわち、ダイバーシチ装置１００のアンテナ１１１，１１３は、指向性または空間的位置が異なる。このため、図示しないテレビ局の送信アンテナから送信された地上波デジタルテレビ放送電波がアンテナ１１１およびアンテナ１１３に到達するまでの時間（伝送時間）は、図６に概略的に示すように、それぞれ伝送時間τ１、伝送時間τ２となる。
【００３５】
このとき、伝送時間τ１および伝送時間τ２の伝送時間差によっては、アンテナ１１１とアンテナ１１３から出力されるそれぞれの電気信号が、相対的に半波長ずれて加算器１１９に出力される場合がある。この場合には、加算器１１９によって、電気信号が互いに打ち消し合い（キャンセル）して、加算出力信号の信号レベルが、図７に示すように、極端に小さくなる。このように、加算出力信号の信号レベルが小さくなると、地上波デジタルテレビ放送の受信は不能となる。
【００３６】
このキャンセルについて、簡単に説明すると、以下のようになる。すなわち、今アンテナ１１１からの出力された時間tにおける電気信号の振幅をＡ１、アンテナ１１３からの出力された時間tにおける電気信号の振幅をＡ２とすると、これらの電気信号の振幅Ａ１，Ａ２は、下記式１，２のように表すことができる。
Ａ１＝Ａ(ω)cos｛ω（ｔ＋τ１）｝  …式１
Ａ２＝Ａ(ω)cos｛ω（ｔ＋τ２）｝  …式２
ただし、前記式１，２におけるωは周波数スペクトルの角周波数であり、Ａ(ω)は図５に示した高画質の映像および高音質の音声を出力するための角周波数ωにおける周波数スペクトルの振幅である。
【００３７】
このときの加算器１１９から出力される加算出力信号の振幅をＡ３とすると、振幅Ａ３は下記式３のように表すことができる。
Ａ３＝Ａ１＋Ａ２
＝Ａ(ω)cos｛ω（ｔ＋τ１）｝  ＋  Ａ(ω)cos｛ω（ｔ＋τ２）｝
＝２Ａ(ω)cos｛ωｔ＋ω（τ１+τ２）／２｝cos｛ω（τ１−τ２）／２｝  …式３
【００３８】
ここで、加算出力信号の振幅Ａ３が、図７に示した周波数スペクトルとなるように、キャンセルが起きるキャンセル角周波数をωｃとしたとき、このキャンセル角周波数ωｃと伝送時間τ１，τ２の伝送時間差（τ１−τ２）との関係は、前記式３の右辺すなわちcos｛ω（τ１−τ２）／２｝＝０とすることにより求められる。これにより、角周波数ωｃと伝送時間τ１，τ２の伝送時間差（τ１−τ２）との関係は下記式４によって表される。
ωｃ（τ１−τ２）／２  ＝  π／２×（２ｎ+１）  …式４
ただし、ｎは整数である。
【００３９】
また、前記式４によって表されるキャンセル角周波数ωｃと伝送時間差（τ１−τ２）との関係は、角周波数と周波数との関係式すなわちω＝２πｆに基づき、キャンセルが起きるキャンセル周波数をｆｃとすると、キャンセル周波数ｆｃは下記式５によって表される。
ｆｃ＝ｎ／（τ１−τ２）＋１／｛２×（τ１−τ２）｝  …式５
【００４０】
今、図５に示す周波数スペクトルの中心周波数４８５ＭＨｚにおけるキャンセルによって、加算出力信号が図７の周波数スペクトルになったとすると、ｆｃ＝４８５ＭＨｚ，ｎ＝０として、前記式５からτ１−τ２＝１．０３ｎ秒と算出することができる。このとき、前記式３の右辺cos｛ω（τ１−τ２）／２｝の項の絶対値は、ω＝２πｆ＝０で最大となり、ｆ＝４８５ＭＨｚまで漸減し、ｆ＝４８５ＭＨｚで「０」となる。そして、４８５ＭＨｚ×２まで漸増し、ｆ＝４８５×２で最大となる。
【００４１】
このように、τ１とτ２の伝送時間差（τ１−τ２）が小さい場合、例えば、アンテナ１１１とアンテナ１１３の空間的位置が接近している場合には、前記式３の右辺cos｛ω（τ１−τ２）／２｝の項の絶対値は、周波数変化に応じてゆっくりと変動する。これにより、周波数スペクトルの中心周波数付近にキャンセル周波数が存在するような条件においては、周波数スペクトル全体にわたって信号レベルが低下するため、図７に示すような周波数スペクトルとなる。
【００４２】
このことに着目して、本発明の発明者は、前記式３の右辺cos｛ω（τ１−τ２）／２｝の項の絶対値を周波数変化に応じて急峻に変動させるように、ダイバーシチ装置１０に遅延電気信号出力部としてのＳＡＷ素子１８を設けて、伝送時間差（τ１−τ２）を所定の時間だけ大きくするようにした。すなわち、本発明の発明者は、種々の実験を繰り返し実施した結果、アンテナ１１，１３が共に良好な受信環境下にて地上波デジタルテレビ放送電波を受信している場合には、アンテナ１１から出力される電気信号に対して、ＳＡＷ素子１８によって所定の遅延時間ｔｓ、例えば、１０００ｎ秒だけアンテナ１３から出力される電気信号を遅延させることによって、周波数スペクトル全体にわたって信号レベルを高められることを見出した。これを以下に説明する。なお、この説明においては、アンテナ１１，１３にて良好に地上波デジタルテレビ放送電波を受信すなわち検出器１６，１７によって電波受信状態が良好と検出されて制御器１５により減衰器１２，１４の作動が停止されているものとして説明する。
【００４３】
ダイバーシチ装置１０のＳＡＷ素子１８による遅延時間ｔｓとすると、加算器１９から出力される加算出力信号の振幅Ａ４は、前記式３と同様にして、下記式６によって表される。
Ａ４＝２Ａ(ω)cos｛ωｔ＋ω(τ１+ｔｓ＋τ２)／２｝×cos｛ω（τ１−τ２＋ｔｓ）／２｝  …式６
【００４４】
ここで、キャンセル角周波数をωｃ１としたとき、キャンセル角周波数ωｃ１、伝送時間τ１，τ２および遅延時間ｔｓの関係は、前記式６の右辺すなわちcos｛ω（τ１−τ２＋ｔｓ）／２｝をcos｛ωｃ１（τ１−τ２＋ｔｓ）／２｝＝０とすることにより求めることができる。これにより、キャンセル角周波数ωｃ１、伝送時間τ１，τ２および遅延時間ｔｓの関係は、下記式７によって表される。
ωｃ1（τ１−τ２＋ｔｓ）／２＝  π／２×（２ｎ+１）  …式７
ただし、ｎは整数である。
【００４５】
また、前記式７によって表されるキャンセル角周波数ωｃ１、伝送時間τ１，τ２の伝送時間差（τ１−τ２）および遅延時間ｔｓの関係は、キャンセル周波数ｆｃ１とすると、下記式８によって表される。
ｆｃ１＝ｎ／（τ１−τ２＋ｔｓ）＋１／｛２×（τ１−τ２＋ｔｓ）｝  …式８
【００４６】
ここで、上記説明と同様に、図５に示す周波数スペクトルの中心周波数４８５ＭＨｚにキャンセルが存在すると、伝送時間差はτ１−τ２＝１．０３ｎ秒であり、遅延時間ｔｓ＝１０００ｎ秒であるため、τ１−τ２−ｔｓ＝１００１．０３ｎ秒となる。これにより、キャンセル周波数ｆｃ１をｎに応じて求めると、下記表１に示すようになる。
【００４７】
【表１】
2005311850.tif 000003
【００４８】
表１に示すように、図５に示した周波数スペクトルすなわち４８２ＭＨｚから４８８ＭＨｚまでの周波数範囲には、加算器１９によって加算された加算出力信号のキャンセルが存在する。ところで、cos｛ωｃ１（τ１−τ２＋ｔｓ）／２｝の項の絶対値は、上記キャンセル周波数間の中間周波数で最大となるため、加算器１９の出力の周波数スペクトルは図８に示すようになる。ここで、図８に示す周波数スペクトルにおいては、信号帯域のところどころにキャンセルによって信号レベルが低下している周波数が見られる。しかしながら、信号レベルが低下する周波数は一部であり、周波数スペクトルの全体としては信号レベルは低下していない。また、この程度のキャンセルによる劣化であれば、ＯＦＤＭ復調方式を採用した復調器２２やエラー訂正回路２３により、十分に高画質な映像、高音質な音声を復元することができる。したがって、デジタルテレビ受信機２０においては、ダイバーシチ装置１０のアンテナ１１，１３からそれぞれ出力された電気信号が互いにキャンセルする状況下であっても、高画質な映像や高音質の音声を出力することができる。
【００４９】
なお、復調器２２にＯＦＤＭ復調方式を採用した場合には、遅延時間ｔｓがガードインターバルを超えると、急激に電気信号のエラーが増えるため、ＳＡＷ素子１８による遅延時間ｔｓはガードインターバル以下でなければならない。なお、ガードインターバルとは、遅延した電気信号によって一つ前の電気信号が現在の電気信号に食い込んでくることにより、電気信号の直交が乱されることを防ぐために設けられる時間である。地上波デジタルテレビ放送においては、ガードインターバルを適宜設定することが可能であり、好ましくは１２６μ秒とすることが好ましい。また、遅延時間ｔｓを短くしすぎると、上述したダイバーシチ装置１００と同様に、周波数スペクトル全体にわたって信号レベルが減衰する。このため、本発明のダイバーシチ装置１０のＳＡＷ素子１８による遅延時間ｔｓは、例えば、地上波デジタルテレビ放送帯域幅である６ＭＨｚの逆数の半分程度の遅延時間、すなわち、８０ｎ秒以上に設定することが好ましい。
【００５０】
次に、ダイバーシチ装置１０の減衰器１２，１４の作動について、デジタルテレビ受信機２２０がダイバーシチ装置２００を介して地上波デジタルテレビ放送の送信電波を受信した場合と比較して説明する。今、ダイバーシチ装置２００の検出器２１６，２１７の検出結果に基づき、アンテナ２１１，２１３のうちアンテナ２１１の電波受信状態が良好であり、同アンテナ２１１が地上波デジタルテレビ放送の送信電波を受信している状態を考える。この状態においては、制御器２１５は、切替器２１９を、アンテナ２１１が出力した電気信号をデジタルテレビ受信機２２０のチューナ２２１に出力するように切替制御している。
【００５１】
この状態から、アンテナ２１１の電波受信状態が悪化する一方で、アンテナ２１３の電波受信状態が良好に改善されると、制御器２１５は、デジタルテレビ受信機２２０のチューナ２２１に出力する電気信号をアンテナ２１３からの電気信号に切り替えるべく、切替器２１９を切り替え制御する。このとき、制御器２１５の切替制御によって切替器２１９の切替作動が急激に（一瞬に）行われるため、図９（ａ）に示すように、アンテナ２１１から出力された電気信号（図において実線で示す）が急激に「０」となる一方で、アンテナ２１３から出力された電気信号（図において破線で示す）が急激に立ち上がるようになる。
【００５２】
このように、アンテナ２１１からの電気信号とアンテナ２１３からの電気信号が急激に切り替えられてデジタルテレビ受信機２２０に出力された場合には、復調器２２２によるＯＦＤＭ復調の同期が外れる可能性がある。この場合、ＯＦＤＭ復調の同期が回復するまでの時間は、電気信号を復調できなくなり、結果として、映像・音声出力回路２２５は映像および音声を出力することができなくなる。
【００５３】
この問題に対して、本発明の発明者は、ダイバーシチ装置１０に減衰電気信号出力部としての減衰器１２，１４を設けて、地上波デジタルテレビ放送の送信電波を受信するアンテナ１１，１３の切り替えに伴う電気信号の切り替わりを緩やかにして問題を解決した。この緩やかな電気信号の切り替えについて、以下に具体的に説明する。
【００５４】
上述した比較品と同様に、今、検出器１６，１７の検出結果に基づき、アンテナ１１，１３のうちアンテナ１１の受信状況が良好であり、同アンテナ１１が地上波デジタルテレビ放送の送信電波を受信している状態を考える。この状態においては、制御器１５は、減衰器１２の作動を停止すなわちアンテナ１１からの電気信号の減衰量を略「０」とするとともに減衰器１４の作動を開始すなわちアンテナ１３からの電気信号を大きく減衰させて、図９（ｂ）に示すように、加算器１９に対してアンテナ１１からの電気信号（図において実線で示す）が出力されるように減衰器１２，１４をそれぞれ制御している。
【００５５】
ここで、制御器１５は、検出器１６，１７からの検出結果に基づいて、例えば、アンテナ１１，１３から出力される電気信号の信号レベルが小さいときには減衰器１２，１４の減衰量を大きくしてノイズ（雑音）の多い信号を通さないようにしたり、電気信号の信号レベルが大きいときには減衰器１２，１４の減衰量を小さくして良好な信号を通したりする。また、制御器１５は、検出器１６，１７からの検出結果に基づいて、例えば、アンテナ１１，１３の電波受信状態の良否が緩やかに変化している場合には、減衰器１２，１４の減衰時間を適度に長く設定したり、電波受信状態が急峻に変化している場合には、減衰器１２，１４の減衰時間を適度に短く設定したりする。
【００５６】
この制御器１５の制御によって、加算器１９からデジタルテレビ受信機２０に出力される電気信号は、アンテナ１１から出力された電気信号と略等しく、図５に示した周波数スペクトルを有して出力される。このような周波数スペクトルが加算器１９から出力されると、デジタルテレビ受信機２０のチューナ２１以降の信号処理によって、映像・音声出力回路２５は高画質の映像や高音質の音声を出力することができる。
【００５７】
この状態から、アンテナ１１の地上波デジタルテレビ放送送信電波受信状態が悪化する一方で、アンテナ１３の電波受信状態が良好に改善されると、制御器１５は、デジタルテレビ受信機２０のチューナ２１に出力する電気信号をアンテナ１３からの電気信号に切り替えるべく、減衰器１２，１４の作動状態を制御する。具体的に説明すると、制御器１５は、図９（ｂ）に示すように、まず、デジタルテレビ受信機２０に出力するアンテナ１３からの電気信号（図において破線で示す）の割合を増加させるべく、減衰器１４の減衰量を連続的に緩やかに減少させる。このように、減衰器１４の減衰量が連続的に緩やかに減少することにより、デジタルテレビ受信機２０に出力されるアンテナ１３からの電気信号の割合は、緩やかに増加する。そして、制御器１５は、減衰器１４の減衰量が「０」となって時点で、その作動を停止させる。このように、減衰器１４の減衰量が略「０」となった時点以降は、所定の重なり時間だけ、加算器１９によってアンテナ１１からの電気信号とアンテナ１３からの電気信号が加算される。
【００５８】
このとき、上述したように、アンテナ１１からの電気信号とアンテナ１３からの電気信号とが互いに半波長だけずれている場合には、キャンセルが発生して、デジタルテレビ受信機２０に出力される加算出力信号の信号レベルが極端に小さくなることが考えられる。しかしながら、アンテナ１３から出力される電気信号は、上述したように、ＳＡＷ素子１８によって遅延時間ｔｓだけ遅延した状態で加算器１９に出力されるため、キャンセルの発生により加算出力信号の信号レベルが小さくなることは防止される。したがって、加算器１９からデジタルテレビ受信機２０に出力される加算電気信号は、図８に示した周波数スペクトルを有して出力される。このような周波数スペクトルが加算器１９から出力されると、デジタルテレビ受信機２０のチューナ２１以降の信号処理によって、映像・音声出力回路２５は高画質の映像や高音質の音声を出力することができる。
【００５９】
また、制御器１５は、所定の重なり時間が経過すると、デジタルテレビ受信機２０に出力されるアンテナ１１からの電気信号の割合を減少させるべく、減衰器１２の作動を開始させるとともに減衰器１２の減衰量を連続的に緩やかに増加させる。このように、減衰器１２の減衰量が連続的に緩やかに増加することにより、デジタルテレビ受信機２０に出力されるアンテナ１１からの電気信号の割合は、緩やかに減少する。そして、減衰器１２の減衰量が大きくなると、アンテナ１１からの電気信号の割合が略「０」となり、加算器１９からデジタルテレビ受信機２０に出力される電気信号は、アンテナ１３から出力された電気信号と略等しく、図５に示した周波数スペクトルを有して出力される。このように、このような周波数スペクトルが加算器１９から出力されると、デジタルテレビ受信機２０のチューナ２１以降の信号処理によって、映像・音声出力回路２５は高画質の映像や高音質の音声を出力することができる。
【００６０】
以上の説明からも理解できるように、ダイバーシチ装置１０がＳＡＷ素子１８を備えることにより、アンテナ１３から出力される電気信号が遅延時間ｔｓだけ遅延されることによって、加算器１９にてアンテナ１１から出力された電気信号と加算された加算電気信号の信号レベルを充分に確保することができる。これにより、デジタルテレビ受信機２０は、高画質の映像や高音質の音声を出力することができる。また、減衰器１２，１４によって電気信号の信号レベルを緩やかに変化させることにより、アンテナ１１からの電気信号とアンテナ１３からの電気信号間の急峻な切り替えが防止され、同切り替えによる一時的な信号レベルの低下すなわち同期外れを効果的に防止することができる。これによっても、デジタルテレビ受信機２０は、高画質の映像や高音質の音声を途切れることなく出力することができる。
【００６１】
上記実施形態においては、アンテナ１３側に設けたＳＡＷ素子１８と減衰器１４の配置に関し、ＳＡＷ素子１８にて遅延時間ｔｓだけ遅延された電気信号を減衰器１４に入力するように配置して実施した。しかしながら、減衰器１４から出力された電気信号をＳＡＷ素子１８に入力した場合であっても、上記実施形態と同様の効果を得ることができる。したがって、ＳＡＷ素子１８と減衰器１４の配置を変えて実施可能であることはいうまでもない。
【００６２】
また、上記実施形態においては、ダイバーシチ装置１０の遅延電気信号出力部としてＳＡＷ素子１８を採用して実施したが、その他アンテナ１１または（および）アンテナ１３から出力された電気信号を遅延することが可能なもの（例えば、同軸ケーブルやデジタル方式のＩＣなど）を採用して実施することも可能である。この場合においても、上記実施形態と同様に、アンテナ１１または（および）アンテナ１３から出力された電気信号を所定の時間だけ遅延することができるため、上記実施形態と同様の効果を得ることができる。
【００６３】
また、上記実施形態においては、ダイバーシチ装置１０にアンテナ１１，１３を設けて実施したが、多数のアンテナを設けて実施可能であることはいうまでもない。この場合においても、各アンテナから出力された各電気信号を遅延電気信号出力部によって遅延させるとともに、各アンテナの電波受信状態に応じて電気信号を減衰電気信号出力部によって減衰させることにより、高画質の映像や高音質の音声を出力することができる。
【００６４】
さらに、上記実施形態においては、デジタルテレビ受信機２０のチューナ２１をダイバーシチ装置１０の加算器１９に接続して実施したが、特定周波数の信号を選択可能で中間周波数信号に変換するチューナをアンテナ１１，１３のそれぞれに直接接続して実施することも可能である。この場合には、上記実施形態と同様の効果を得ることができるとともに、チューナの作動によって特定周波数の信号を中間周波数信号に変換して減衰器１２，１４、ＳＡＷ素子１８および加算器１９を通過させることができる。このため、特性周波数の電気信号のみに対する減衰器１２，１４の減衰量やＳＡＷ素子１８の遅延時間ｔｓを設定すればよく、種々の設定を容易とすることができる。また、電気信号が中間周波数信号に変換されるため、加算器１９の加算精度を向上させることができる。
【図面の簡単な説明】
【００６５】
【図１】本発明の実施形態に係るダイバーシチ装置およびデジタルテレビ受信機の構成を概略的に示したブロック図である。
【図２】図１のダイバーシチ装置のＳＡＷ素子の構造を説明するための図である。
【図３】図１のダイバーシチ装置およびデジタルテレビ受信機の作動を説明するために作成した比較品の構成を概略的に示したブロック図である。
【図４】図１のダイバーシチ装置およびデジタルテレビ受信機の作動を説明するために作成した切替器を備えた比較品の構成を概略的に示したブロック図である。
【図５】高画質、高音質のデジタルテレビ放送を出力するための電気信号の周波数スペクトルを示したグラフである。
【図６】図３の比較品がデジタルテレビ放送を受信する動作を説明するための図である。
【図７】図３の比較品によって加算された電気信号の周波数スペクトルを示したグラフである。
【図８】図１のダイバーシチ装置によって加算された周波数スペクトルを示したグラフである。
【図９】アンテナの切り替えに伴う電気信号の出力形態を説明するための図であって、（ａ）は図４の比較品による電気信号の出力形態を示し、（ｂ）は図１のダイバーシチ装置による電気信号の出力形態を示した図である。
【図１０】従来のデジタルテレビ受信機の構成を概略的に示したブロック図である。
【符号の説明】
【００６６】
１０…ダイバーシチ装置、１１，１３…アンテナ、１２，１４…減衰器、１５…制御器、１６，１７…検出器、１８…ＳＡＷ素子、１９…加算器、２０…デジタルテレビ受信機、２１…チューナ、２２…復調器、２３…エラー訂正回路、２４…ＭＰＥＧデコーダ、２５…映像・音声出力回路
【図１】
2005311850.tif 000004
【図２】
2005311850.tif 000005
【図３】
2005311850.tif 000006
【図４】
2005311850.tif 000007
【図５】
2005311850.tif 000008
【図６】
2005311850.tif 000009
【図７】
2005311850.tif 000010
【図８】
2005311850.tif 000011
【図９】
2005311850.tif 000012
【図１０】
2005311850.tif 000013